(57)【特許請求の範囲】
【請求項１】
１枚あたり４本から８本の歯を有する同一形状の複数枚の回転盤がシャフトに固定された粗砕機であって、歯の位置が異なる２種類の位置で回転盤が固定され、第１の位置の回転盤の歯の中心とシャフトの中心とを結ぶ線と、第２の位置の回転盤の歯の中心とシャフトの中心とを結ぶ線とのなす最小の角度が、０．５度から１０度の範囲である粗砕機。
【請求項２】
回転盤の同じ面同士を向き合わせて配置した時に、それぞれの回転盤の歯の中心とシャフトの中心とを結ぶ線とのなす最小の角度が、０．５度から１０度の範囲となる回転盤を使用する、請求項１記載の粗砕機。
【請求項３】
粗砕機の粉砕物入り口方向から空気を流入する、請求項１または２記載の粗砕機。
【請求項４】
同一形状の１５枚の８本歯の回転盤と、１６枚のＳ字カラーを有し、回転盤とＳ字カラーが交互に配置され、回転盤が各３枚の５組に分けられ、各組の回転盤は固定された時に隣接する組の歯と歯の位置が約０．５度から１０度異なり、かつ１組おいた組の歯と同位置になるように配置される、海苔用粗砕機。
【発明の詳細な説明】
【技術分野】
【０００１】
本発明は柔らかい物質の粗砕機に関し、より具体的には海苔用の粗砕機に関する。
【背景技術】
【０００２】
食用に適さない海苔の用途として、これを粉砕して鯉のえさに使用することが行われていた。この粉砕では約１０ｍｍ以下にすることが目標とされるが、海苔の粉砕は困難で、粉砕に多くの時間を要するため、処理能力の高い新規な粗砕機の開発が望まれていた。
【発明の開示】
【発明が解決しようとする課題】
【０００３】
本発明は、海苔のような柔らかい物質のための、処理能力の高い新規な粗砕機を提供することを目的とする。
【課題を解決するための手段】
【０００４】
本発明は、１枚あたり４本から８本の歯を有する同一形状の複数枚の回転盤がシャフトに固定された粗砕機であって、歯の位置が異なる２種類の位置で回転盤が固定され、第１の位置の回転盤の歯の中心とシャフトの中心とを結ぶ線と、第２の位置の回転盤の歯の中心とシャフトの中心とを結ぶ線とのなす最小の角度が、０．５度から１０度の範囲である粗砕機を提供する。
回転盤とは、粉砕のための歯を有する盤であり、これを回転することにより対象物を粉砕する。１枚の回転盤の有する歯は４本から８本であり、好ましくは６本から８本、最も好ましくは８本である。歯の形状は特に規定するものではなく、対象物に応じて任意の形状とすることができる。たとえば、海苔の場合には、矩形状の歯が好適に使用される。
回転盤の枚数も任意であり、対象物に応じて決定することができる。
【０００５】
本発明の粗砕機においては、歯の位置が異なる２種類の位置で回転盤が固定され、第１の位置の回転盤の歯の中心とシャフトの中心とを結ぶ線と、第２の位置の回転盤の歯の中心とシャフトの中心とを結ぶ線とのなす最小の角度が、０．５度から１０度の範囲とされる。回転盤の歯の中心とシャフトの中心とを結ぶ線とは、回転盤の任意の１つの歯の中心と、この回転盤が固定されているシャフトの中心とを結ぶ線をいう。第１の位置の回転盤の歯の中心とシャフトの中心とを結ぶ線と、第２の位置の回転盤の歯の中心とシャフトの中心とを結ぶ線とのなす最小の角度とは、第１の位置の回転盤と第２の位置の回転盤とにおいて、それぞれ任意の位置の歯を選択し、それぞれとシャフトの中心とを結ぶ線とがなす角度の内、最小となる角度を言う。したがって、最も近い位置にある２つの歯とシャフトの中心とのなす角度がこれに当たる。
【０００６】
好ましくは上記の角度は約０．５度から５度であり、最も好ましくは約３度である。
本発明の粗砕機においては、歯の位置が異なる２種類の異なる位置に回転盤が固定される。これは、回転盤がシャフトに固定されて回転された時に、歯面が同時に対象物と接触するのではなく、２段階で接触するようにするためである。柔らかいものや平板状のものの場合、歯面が２段階で当たることにより、より大きな剪断力が粉砕物に加わるため、処理能力が向上すると考えられる。
【０００７】
回転盤の向きによって歯の位置が異なるように回転盤をシャフトにロックすることにより、回転盤を２種類の異なる位置に容易に固定することができる。言い換えれば、シャフトに固定された回転盤の像と、その鏡像とを重ね合わせた時に、対応する歯の部分が重ならず、それぞれの歯の中心とシャフトの中心とを結ぶ線分のなす最小の角度が約０．５度から１０度、好ましくは約０．５度から５度、最も好ましくは約３度になるように、回転盤をシャフトに固定することが望ましい。
【０００８】
このような回転盤の例を、図１に示す。
図１には、８枚の歯１０を有する回転盤１が示される。回転盤がシャフト２０に固定された時、歯１０の中心とシャフト２０の中心とを結ぶ線は３０で示され、シャフト２０の中心を通る鉛直線は４０で示される。図１では、両者の作る角度は、１．５度である。回転盤１を裏返してシャフト２０に固定すると、歯１０の中心とシャフト２０の中心とを結ぶ線は、シャフト２０の中心を通る鉛直線の右側になり、両者の作る角度は、同じく１．５度である。したがって、図１に示す回転盤を、同じ面同士、たとえば図面に表された面同士を向き合わせてシャフトに固定すると、第１の位置の回転盤の歯の中心とシャフトの中心とを結ぶ線と、第２の位置の回転盤の歯の中心とシャフトの中心とを結ぶ線とのなす最小の角度は３度となる。
【発明の効果】
【０００９】
本発明の粗砕機を使用することにより、海苔のような柔らかい物質、および／または平板状の物質を、効率よく粗砕することができるようになる。
【発明を実施するための最良の形態】
【００１０】
本発明の最良の形態においては、１５枚の８本歯の回転盤と、１６枚のＳ字カラーを有し、回転盤とＳ字カラーが交互に配置され、回転盤が各３枚の５組に分けられ、各組の回転盤は固定された時に隣接する組の歯と歯の位置が約０．５度から１０度、好ましくは約０．５度から５度、最も好ましくは約３度異なり、かつ１組おいた組の歯と同位置になるように配置される、海苔用粗砕機が提供される。
上記の実施態様における歯の配置の様子は、図２に示される。
【００１１】
図２では、シャフト２０に、回転盤１とＳ字カラー１５が交互に固定される。
回転盤は各３枚の５組、１ａ，１ｂ，１ｃ，１ｄ，１ｅに分けられる。各組の回転盤は固定された時に隣接する組の歯と歯の位置が約０．５度から１０度、好ましくは約０．５度から５度、最も好ましくは約３度異なる。図を参照すれば、歯１ｃと両隣の１ｂおよび１ｄとは、角度が相違する位置に固定されている。一方、１組の歯１ｃと１組おいた組の歯である１ａおよび１ｅとは、同じ角度で固定されている。
【００１２】
本発明の粗砕機で使用される回転盤は一般的には約４から１２ｍｍ、典型的には約６から１０ｍｍの厚さを有する。また、本体部分の直径は一般的には約１００から５００ｍｍ、典型的には約１５０から４００ｍｍの直径を有し、歯の部分は約２５から８０ｍｍ、典型的には約４０から６０ｍｍの長さを有する。また、歯の本体部分の形状は典型的には概略直方体であり、これに刃が設けられる。回転盤の中央には、シャフトと係合するための孔が設けられる。前述のように、孔に回転盤を固定した際に、回転盤の向きによって歯の位置が変化するようにすることが好ましい。１種類の回転盤を製造するだけで、２種類の回転盤を得ることができ、製造が容易となり、在庫が少なくてすみ、また回転盤の粗砕機へのセットも容易に、かつ間違いなく行うことができる。
また、本発明の粗砕機は、典型的には約１，２００ｒｐｍから２，０００ｒｐｍで回転される。
【００１３】
本発明の好ましい態様においては、隣接する回転盤の間にＳ字カラーが交互に配置される。Ｓ字カラーとは、Ｓ字形状のカラーであり、たとえば、図３に示されるような形状であることができる。Ｓ字カラーも図３に示した２つの異なる配置で交互に配置されることが好ましい。
【００１４】
本発明の粗砕機においては、所定の大きさにまで粗砕された物質はスクリーンを通って、取り出し部分に移動する。スクリーンのメッシュの大きさは任意である。海苔などの軽いものを粗砕する場合には、重力により下方に移動させることが困難であるため、できるだけスクリーン面積を広くすることが望ましい。具体的には、スクリーンが回転盤の中心の高さよりも高い位置まで伸びることが好ましい。
【００１５】
さらに、粗砕機の粉砕物入り口方向から、空気を流入させることが好ましい。粗砕機内部から粗砕された物質が上方から外部に出ないようにし、粗砕効率を向上させるためである。
【００１６】
本発明の粗砕機により粗砕された物質は、スクリーンを通って粗砕物排出ホッパー内にためられる。海苔などの平板状のものはホッパーより排出しにくいため、ホッパー出口から空気を吹き込むことが好ましい。また、ホッパー出口付近に回転可能な撹拌バーを設け、粗砕物の排出を容易にすることも好ましい。
【００１７】
実施例
本発明の粗砕機を使用して海苔の粗砕を行ったところ、１日で約７００ｋｇの海苔を粗砕することができた。従来の機械では約３００ｋｇしかできなかったので、本発明の粗砕機は従来のものに比較して倍以上の処理能力を有することが示された。
【図面の簡単な説明】
【００１８】
【図１】図１は本発明において好適に使用される回転盤の正面図である。
【図２】図２は本発明の粗砕機での回転盤とＳ字カラーの配置の例を示す図である。
【図３】図３は本発明において好適に使用されるＳ字カラーの正面図である。
【符号の説明】
【００１９】
１：回転盤
１ａ、１ｂ、１ｃ、１ｄ、１ｅ：１組の回転盤
１０：歯
１５：Ｓ字カラー
２０：シャフト
３０：歯１０の中心とシャフト２０の中心とを結ぶ線
４０：シャフト２０の中心を通る鉛直線
【図１】
0004824373.tif 000002
【図２】
0004824373.tif 000003
【図３】
0004824373.tif 000004